(57)【特許請求の範囲】
【請求項１】
複数の送信時間間隔を設定可能な、無線通信ネットワークの端末デバイス（１６、２００）における方法であって、
前記端末デバイスが１つ以上の無線メッセージを送信できる、前記複数の送信時間間隔の内の第１送信時間間隔（５０、５２、５４）に従い設定された第１無線リソースの表示を含む第１許可メッセージを前記無線通信ネットワークから受信する（１００）ことと、
第１論理チャネルに関連付けられた、送信するデータの存在を判定する（１０２）ことと、
前記第１論理チャネルに関連付けられた最大送信時間間隔の値であって、前記無線通信ネットワークと前記端末デバイスとの間のシグナリングを介して設定された前記最大送信時間間隔の値を判定する（１０４）ことと、
前記第１論理チャネルに関連付けられた前記最大送信時間間隔が前記第１送信時間間隔未満との判定に応答して、前記複数の送信時間間隔の内の第２送信時間間隔（５６）に従い設定されたスケジューリング要求メッセージを前記無線通信ネットワークに送信する（１１４）ことと、を含み、
前記第２送信時間間隔（５６）は、前記第１送信時間間隔（５０、５２、５４）よりも短い、方法。
【請求項２】
請求項１に記載の方法であって、さらに、
前記端末デバイスが１つ以上の無線メッセージを送信できる、前記複数の送信時間間隔の内の前記第１送信時間間隔より短い送信時間間隔に従い設定された第２無線リソースの表示を含む第２許可メッセージを前記無線通信ネットワークから受信する（１１８）ことと、
前記第２無線リソースを使用して前記データを送信する（１２０）ことと、を含む方法。
【請求項３】
請求項２に記載の方法であって、
前記第１送信時間間隔より短い前記送信時間間隔は、前記第２送信時間間隔である、方法。
【請求項４】
請求項１から３のいずれか１項に記載の方法であって、さらに、
前記第１論理チャネルに関連付けられた前記最大送信時間間隔が前記第１送信時間間隔以上であるという判定に応答して、前記第１無線リソースを使用して前記データを送信する（１１２）こと、を含む方法。
【請求項５】
請求項４に記載の方法であって、
前記第１無線リソースを使用して前記データを送信するステップは、
前記第１論理チャネルに関連付けられた優先度を判定することと、
前記第１論理チャネルに関連付けられた前記優先度に応じて前記第１無線リソースに前記データを割り当てることと、を含む方法。
【請求項６】
請求項５に記載の方法であって、さらに、
１つ以上の第２論理チャネルに関連付けられた優先度に応じて、前記１つ以上の第２論理チャネルに関連付けられたデータを前記第１無線リソースに割り当てること、を含む方法。
【請求項７】
請求項１から６のいずれか１項に記載の方法であって、
前記スケジューリング要求メッセージは、制御チャネルを介して送信される、方法。
【請求項８】
請求項７に記載の方法であって、
前記制御チャネルは、ショート制御チャネルである、方法。
【請求項９】
請求項７又は８に記載の方法であって、
前記制御チャネルは、上りリンク制御チャネルである、方法。
【請求項１０】
請求項１から９のいずれか１項に記載の方法であって、さらに、
前記第１論理チャネルに関連付けられた前記最大送信時間間隔が前記第１送信時間間隔未満との判定に応答して、前記第１無線リソースを使用して前記第１論理チャネルに関連付けられた前記データのためのバッファ状態リポートを送信しない（１１６ａ）こと、を含む方法。
【請求項１１】
請求項１から９のいずれか１項に記載の方法であって、さらに、
前記第１論理チャネルに関連付けられた前記最大送信時間間隔が前記第１送信時間間隔未満との判定に応答して、前記第１無線リソースを使用して前記第１論理チャネルに関連付けられた前記データのためのバッファ状態リポートを送信する（１１６ｂ）こと、を含む方法。
【請求項１２】
複数の送信時間間隔を設定可能な、無線通信ネットワークの端末デバイス（２００）であって、
処理回路（２０２）と、命令を格納する非一時的コンピュータ可読媒体（２０４）と、を備え、前記命令は、前記処理回路で実行されると、前記端末デバイスに、
前記端末デバイスが１つ以上の無線メッセージを送信できる、前記複数の送信時間間隔の内の第１送信時間間隔に従い設定された第１無線リソースの表示を含む第１許可メッセージを前記無線通信ネットワークから受信させ（１００）、
第１論理チャネルに関連付けられた、送信するデータの存在を判定させ（１０２）、
前記第１論理チャネルに関連付けられた最大送信時間間隔の値であって、前記無線通信ネットワークと前記端末デバイスとの間のシグナリングを介して設定された前記最大送信時間間隔の値を判定させ（１０４）、
前記第１論理チャネルに関連付けられた前記最大送信時間間隔が前記第１送信時間間隔未満との判定に応答して、前記複数の送信時間間隔の内の第２送信時間間隔に従い設定されたスケジューリング要求メッセージを前記無線通信ネットワークに向けて送信させ（１１４）、
前記第２送信時間間隔は、前記第１送信時間間隔よりも短い、端末デバイス。
【請求項１３】
請求項１２に記載の端末デバイスであって、
前記非一時的コンピュータ可読媒体（２０４）は、前記処理回路で実行されると前記端末デバイスに、
前記端末デバイスが１つ以上の無線メッセージを送信できる、前記複数の送信時間間隔の内の前記第１送信時間間隔より短い送信時間間隔に従い設定された第２無線リソースの表示を含む第２許可メッセージを前記無線通信ネットワークから受信させ（１１８）、
前記第２無線リソースを使用して前記データを送信させる（１２０）命令をさらに格納する、端末デバイス。
【請求項１４】
請求項１３に記載の端末デバイスであって、
前記第１送信時間間隔より短い前記送信時間間隔は、前記第２送信時間間隔である、端末デバイス。
【請求項１５】
請求項１２から１４のいずれか１項に記載の端末デバイスであって、
前記非一時的コンピュータ可読媒体は、前記処理回路で実行されると前記端末デバイスに、
前記第１論理チャネルに関連付けられた前記最大送信時間間隔が前記第１送信時間間隔以上であるという判定に応答して、前記第１無線リソースを使用して前記データを送信させる（１１２）命令をさらに格納する、端末デバイス。
【請求項１６】
請求項１５に記載の端末デバイスであって、
前記第１論理チャネルに関連付けられた優先度を判定し、
前記第１論理チャネルに関連付けられた前記優先度に応じて前記第１無線リソースに前記データを割り当てることにより、前記端末デバイスは、前記第１無線リソースを使用して前記データを送信する、端末デバイス。
【請求項１７】
請求項１６に記載の端末デバイスであって、
前記非一時的コンピュータ可読媒体は、前記処理回路で実行されると前記端末デバイスに、
１つ以上の第２論理チャネルに関連付けられた優先度に応じて、前記１つ以上の第２論理チャネルに関連付けられたデータを前記第１無線リソースに割り当てさせる命令をさらに格納する、端末デバイス。
【請求項１８】
請求項１２から１７のいずれか１項に記載の端末デバイスであって、
前記スケジューリング要求メッセージは、制御チャネルを介して送信される、端末デバイス。
【請求項１９】
請求項１８に記載の端末デバイスであって、
前記制御チャネルは、ショート制御チャネルである、端末デバイス。
【請求項２０】
請求項１８又は１９に記載の端末デバイスであって、
前記制御チャネルは、上りリンク制御チャネルである、端末デバイス。
【請求項２１】
請求項１２から２０のいずれか１項に記載の端末デバイスであって、
前記非一時的コンピュータ可読媒体は、前記処理回路で実行されると前記端末デバイスに、
前記第１論理チャネルに関連付けられた前記最大送信時間間隔が前記第１送信時間間隔未満との判定に応答して、前記第１無線リソースを使用して前記第１論理チャネルに関連付けられた前記データのためのバッファ状態リポートを送信させない（１１６ａ）命令をさらに格納する、端末デバイス。
【請求項２２】
請求項１２から２０のいずれか１項に記載の端末デバイスであって、
前記非一時的コンピュータ可読媒体は、前記処理回路で実行されると前記端末デバイスに、
前記第１論理チャネルに関連付けられた前記最大送信時間間隔が前記第１送信時間間隔未満との判定に応答して、前記第１無線リソースを使用して前記第１論理チャネルに関連付けられた前記データのためのバッファ状態リポートを送信させる（１１６ｂ）命令をさらに格納する、端末デバイス。
【発明の詳細な説明】
【技術分野】
【０００１】
本開示の実施形態は、無線通信ネットワークにおける方法及び装置に関し、特に、２つの無線デバイス間、又は、無線デバイスと無線通信ネットワークとの間の低遅延通信を可能にするための方法及び装置に関する。
【背景技術】
【０００２】
次世代モバイルネットワークアライアンスによって定義されている様に、第５世代（５Ｇ）の無線システムに対して設定される要件を満たすことを目的とした通信ネットワーク及びプロトコルを開発し標準化する努力が続けられている。その様なネットワークは、ネットワークによって提供されるサービスに関して、大きく異なる要件を有する異なるユースケースを伴う多数のユースケースをサポートすることが期待される。
【０００３】
例えば、いくつかのユースケースは極端に低い遅延でデータを送受信することを要求するかもしれないが、他のユースケースはより緩和された遅延要件を持つかもしれない。前者のカテゴリにおいて、将来のネットワークは、機械や手術器具の遠隔操作を可能にすると予想されている。その様な場合、コントローラ（例えば外科医）と被制御デバイス（例えば外科用器具）との間で伝送されるデータは信頼性があり、かつ、低遅延であることが重要である。その様な性能を必要とする通信クラスは、"超高信頼性及び低遅延通信"（ＵＲＬＬＣ）として定義されている。"新しい無線アクセス技術；無線インタフェースプロトコルの側面に関する研究"（３ＧＰＰＴＲ３８．８０４、ｖ０．４．０）を参照されたい。ＵＲＬＬＣトラフィックは、上記の外科手術／機械の例に限定されない広範囲のユースケースに適用可能であることに留意されたい。低遅延を必要とする他の通信は、クリティカル機械型通信（Ｃ−ＭＴＣ）であり得る。逆に、後者のカテゴリの、無線デバイスの大規模センサーネットワークやその他の報告メカニズムでは、遅延を短くする必要はない。例えば、大規模機械型通信（Ｍ−ＭＴＣ）がこの範疇に入り得る。
【発明の概要】
【発明が解決しようとする課題】
【０００４】
この様に、現在のロングタームエボリューション（ＬＴＥ）システム及び将来のシステムにおいては、対応するサービス品質（ＱｏＳ）が異なる多くの異なる種類のサービスがある。その様なサービスは、通常、対応する論理チャネルにマッピングされ、各論理チャネルは事前設定された論理チャネル優先度（ＬＣＰ）に関連付けられる。ＬＣＰ値によると、無線アクセスネットワーク（ＲＡＮ）内のスケジューラは、ＬＣＰ値に従ってリソースを異なる論理チャネルに柔軟に割り当てることができる（例えば、リソースを優先度の低い論理チャネルに割り当てる前にリソースを優先度位の高い論理チャネルに割り当てる）。この様にして、高い遅延サービスを遅延に依存しない他のサービスと多重化することができる。
【０００５】
ＬＴＥの現在のバージョンは、それぞれ１ｍｓ長であり、１４個の直交周波数分割多重（ＯＦＤＭ）シンボルからなる１０個のサブフレームを含むフレームの繰り返しフレーム構造に基づいている。ダウンリンク（ＤＬ）において、各サブフレーム内の最初の４シンボル以下は制御チャネル（すなわち物理ダウンリンク制御チャネル、ＰＤＣＣＨ）を含み、残りのシンボルはデータチャネル（すなわち物理ダウンリンク共有チャネル、ＰＤＳＣＨ）を含む。アップリンク（ＵＬ）において、総てのシンボルがデータの送信に（すなわち、物理アップリンク共有チャネル、ＰＵＳＣＨを介して）使用され得るが、一部のシンボルは、制御情報（すなわち、物理アップリンク制御チャネル、ＰＵＣＣＨを介して）及び基準シンボルに使用され得る。
【０００６】
ＬＴＥにおいて、スケジューリング及び送信はサブフレームのタイムスケールで定義される。すなわち、端末デバイスは、サブフレーム全体に関して定義される無線リソースを使用してメッセージを送信又は受信する様にスケジュールされている。このタイムスケールは、しばしば送信時間間隔（ＴＴＩ）、すなわち無線リンク上での送信期間と呼ばれる。この様に、ＬＴＥにおける標準ＴＴＩは１サブフレーム、すなわち１４個のＯＦＤＭシンボルである。
【０００７】
ＬＴＥにおいて低遅延を達成するための現在の解決策は、論理チャネルに関連付けられたＬＣＰ値に依存している。しかしながら、送信は依然として１４シンボル長のＴＴＩに制限されている。
【０００８】
この遅延をさらに減少させる方法は、特に極端に低い遅延を必要とするデータのクラスにとってはなおさらに望ましい。例えば、異なる下位エンティティ間の２つ以上のデータ伝送フォーマットの多重化を可能にするシン制御チャネル構造を説明する米国特許出願公開第２０１５／３３４６８５Ａ１と、ペアチャネル及び高速制御チャネルの導入により、異なる下位エンティティ間の、様々なタイプ、クラス及びカテゴリのトラフィックの多重化ができるＴＤＤキャリアを可能にするアップリンク/ダウンリンクスイッチング方法を説明する米国特許出願公開第２０１５／３３３８９８Ａ１が知られている。
【課題を解決するための手段】
【０００９】
上記で論じた問題の幾つか、又は、総てを軽減する装置及び方法が開示される。
【００１０】
現在、３ＧＰＰにおける作業は、スケジューリング及び送信がより速いタイムスケールで行われ得る"ショートＴＴＩ"又は"ｓＴＴＩ"動作を標準化するために進行中である。これを達成する１つの方法は、レガシーＬＴＥサブフレームを幾つかのｓＴＴＩに細分することである。ｓＴＴＩに関して現在議論されているサポート長は、２及び７ＯＦＤＭシンボルである。しかし、他の長さも将来定義される可能性があり、本開示はＴＴＩの特定の値に限定されない。ＤＬでのデータ送信は、ショートＰＤＣＣＨ（又はｓＰＤＣＣＨ）に対応する制御領域を含み得るショートＰＤＳＣＨ（又はｓＰＤＳＣＨ）を介してｓＴＴＩごとに行うことができる。ＵＬにおいて、データはショートＰＵＳＣＨ（ｓＰＵＳＣＨ）を介してｓＴＴＩごとに送信され、制御情報は、ショートＰＵＣＣＨ（ｓＰＵＣＣＨ）を介して送信され得る。
【００１１】
１ｍｓの通常のＴＴＩ内で動的にスケジュールされ得るショートＴＴＩの導入により、データは高遅延又は低遅延で送信され得る。全体的なデータ配信では、フレーム期間のほかに、関連する処理時間も全体的な配信時間を考慮するために重要である。
【００１２】
本開示の一態様は、無線通信ネットワークの端末デバイスにおける方法を提供し、端末デバイスは複数の送信時間間隔を設定可能である。方法は、端末デバイスが１つ以上の無線メッセージを送信できる、複数の送信時間間隔の第１送信時間間隔に従い設定された第１無線リソースの表示を含む第１許可メッセージを無線通信ネットワークから受信することと、第１論理チャネルに関連付けられた、送信するデータの存在を判定することと、第１論理チャネルに関連付けられた最大送信時間間隔を判定することと、論理チャネルに関連付けられた最大送信時間間隔が第１送信時間間隔未満との判定に応答して、複数の送信時間間隔の内の第２送信時間間隔に従い設定されたスケジューリング要求メッセージを無線通信ネットワークに送信することと、を含み、第２送信時間間隔は、第１送信時間間隔よりも短い。
【００１３】
別の態様は、無線通信ネットワークの端末デバイスを提供し、端末デバイスは複数の送信時間間隔を設定可能である。端末デバイスは、端末デバイスが１つ以上の無線メッセージを送信できる、複数の送信時間間隔の第１送信時間間隔に従い設定された第１無線リソースの表示を含む第１許可メッセージを無線通信ネットワークから受信し、第１論理チャネルに関連付けられた、送信するデータの存在を判定し、第１論理チャネルに関連付けられた最大送信時間間隔を判定し、論理チャネルに関連付けられた最大送信時間間隔が第１送信時間間隔未満との判定に応答して、複数の送信時間間隔の内の第２送信時間間隔に従い設定されたスケジューリング要求メッセージを無線通信ネットワークに送信する様に構成され、第２送信時間間隔は、第１送信時間間隔よりも短い。
【００１４】
更なる態様は、複数の送信時間間隔を設定可能な、無線通信ネットワークの端末デバイスであって、処理回路と、命令を格納する非一時的コンピュータ可読媒体とを備えた端末デバイスを提供し、命令は、処理回路で実行されると、端末デバイスに、端末デバイスが１つ以上の無線メッセージを送信できる、複数の送信時間間隔の内の第１送信時間間隔に従い設定された第１無線リソースの表示を含む第１許可メッセージを前記無線通信ネットワークから受信させ、第１論理チャネルに関連付けられた、送信するデータの存在を判定させ、第１論理チャネルに関連付けられた最大送信時間間隔を判定させ、論理チャネルに関連付けられた最大送信時間間隔が第１送信時間間隔未満との判定に応答して、複数の送信時間間隔の内の第２送信時間間隔に従い設定されたスケジューリング要求メッセージを無線通信ネットワークに送信させ、第２送信時間間隔は、第１送信時間間隔よりも短い。
【００１５】
別の態様は、複数の送信時間間隔を設定可能な、無線通信ネットワークの端末デバイスを提供し、端末デバイスは、端末デバイスが１つ以上の無線メッセージを送信できる、複数の送信時間間隔の内の第１送信時間間隔に従い設定された第１無線リソースの表示を含む第１許可メッセージを無線通信ネットワークから受信する様に構成された第１モジュールと、第１論理チャネルに関連付けられた、送信するデータの存在を判定する様に構成された第２モジュールと、第１論理チャネルに関連付けられた最大送信時間間隔を判定する様に構成された第３モジュールと、論理チャネルに関連付けられた最大送信時間間隔が第１送信時間間隔未満との判定に応答して、複数の送信時間間隔の内の第２送信時間間隔に従い設定されたスケジューリング要求メッセージを無線通信ネットワークに送信する様に構成された第４モジュールと、を備え、第２送信時間間隔は、第１送信時間間隔よりも短い。
【００１６】
以下の説明では、５Ｇネットワークの基準を満たすことを目的としたＬＴＥの技術的解決策とその開発に焦点を当てているが、当業者は、本明細書に記載の方法及び装置を他のネットワーク及びアクセス技術に適用することも可能であることを理解するであろう。
【図面の簡単な説明】
【００１７】
【図１】無線通信ネットワークを示す図。
【図２】本開示の実施形態による処理フローを示す図。
【図３】本開示の実施形態による方法のフローチャート。
【図４】本開示の実施形態による無線端末デバイスのブロック図。
【図５】本開示の更なる実施形態による無線端末デバイスのブロック図。
【発明を実施するための形態】
【００１８】
以下は、限定ではなく説明を目的とする特定の実施形態などの具体的な詳細を説明する。しかし、これらの具体的な詳細とは別に他の実施形態が採用されてもよいことが当業者によって理解されるだろう。いくつかの事例では、不必要な詳細により説明を不明瞭にしない様に、公知の方法、ノード、インタフェース、回路、及び、デバイスの詳細な説明は省略する。当業者は、記載された機能が、ハードウェア回路（例えば、特定機能を実行するために相互接続されたアナログ及び／又は個別論理ゲート、ＡＳＩＣ、ＰＬＡなど）を使用して、及び／又は、本明細書に開示される処理を実行する様に特に適合されている１つ以上のデジタルマイクロプロセッサ又は汎用コンピュータと関連したソフトウェアプログラム及びデータを実行することに基づいて実現され得ることを理解する。エアインタフェースを使用して通信するノードもまた適切な無線通信回路を有する。さらに、この技術は、本明細書に記載の技術をプロセッサに実行させる適切なコンピュータ命令のセットを含む固体メモリ、磁気ディスク、又は、光ディスクなどの任意の形態のコンピュータ可読メモリ内で完全に実施されると考えることができる。
【００１９】
ハードウェア実装形態は、デジタル信号プロセッサ（ＤＳＰ）ハードウェア、縮小命令セットプロセッサ、特定用途向け集積回路（ＡＳＩＣ）、及び／又は、フィールドプログラマブルゲートアレイ（ＦＰＧＡ）を含むがこれらに限定されないハードウェア（例えばデジタル又はアナログ）回路、及び（適切な場合には）そのような機能を実行することができるステートマシンを含むが、それらに限定されない。
【００２０】
コンピュータ実装に関し、コンピュータは、一般に、１つ以上のプロセッサ、１つ以上の処理モジュール又は１つ以上のコントローラを含むと理解され、コンピュータ、プロセッサ、処理モジュール及びコントローラという用語は互換的に使用され得る。コンピュータ、プロセッサ、又は、コントローラによって提供される場合、機能は、単一の専用のコンピュータ、プロセッサ若しくはコントローラによって、単一の共有のコンピュータ、プロセッサ若しくはコントローラによって、又は、共有若しくは分散される複数の個々のコンピュータ、プロセッサ若しくはコントローラによって提供されてもよい。さらに、"プロセッサ"又は"コントローラ"という用語はまた、そのような機能を実行し、及び／又は、ソフトウェアを実行することができる他のハードウェア、例えば上記のハードウェアの例を指す。
【００２１】
説明は無線端末デバイス、又は、ユーザ機器（ＵＥ）について行われるが、"ＵＥ"は、アップリンク（ＵＬ）で信号を送信し、ダウンリンク（ＤＬ）で信号を受信及び／又は測定すること可能にする無線インタフェースを備えた、任意のモバイル若しくは無線デバイス、端末又はノードを含む非限定的な用語であることが当業者によって理解されるべきである。本明細書のＵＥは、１つ以上の周波数、キャリア周波数、コンポーネントキャリア又は周波数帯域で動作、或いは、少なくとも測定を実行することができる（その一般的な意味での）ＵＥを備え得る。それは、シングル又はマルチ無線アクセス技術（ＲＡＴ）又はマルチスタンダードモードで動作する"ＵＥ"であり得る。"ＵＥ"と同様に、"移動局"（"ＭＳ"）、"移動デバイス"、及び、"端末デバイス"という用語は、以下の説明において交換可能に使用されることがあり、そのようなデバイスは、必ずしも、ユーザによって運ばれるという意味で"モバイル"である必要はない。代わりに、用語"移動デバイス"は、グローバル移動体通信システム（ＧＳＭ）、ＵＭＴＳ、ロングタームエボリューション、（ＬＴＥ）、ＩＥＥＥ８０２．１１若しくは８０２．１６等の１つ以上のモバイル通信規格に従って動作する通信ネットワークと通信できる任意のデバイスを包含する。
【００２２】
説明は、ＵＥと、典型的には複数の無線アクセスノードを含む無線アクセスネットワークとの間の通信を含む。与えられた特定の例において、無線アクセスノードは、３ＧＰＰによって定義される様にｅＮｏｄｅＢ（ｅＮＢ）、又は、５Ｇ要件を満たすことが期待される将来の規格において利用される様にｇＮｏｄｅＢ（ｇＮＢ）の形態をとる。しかしながら、本明細書に記載の概念は任意の無線アクセスノードを含み得ることを理解されよう。さらに、以下の説明が無線アクセスノード内又は無線アクセスノードによって行われるステップに言及する場合、これはまた、処理及び／又は意思決定ステップのいくつか又はすべてが無線アクセスノードの無線アンテナから物理的に離れているが、論理的に接続されているデバイスで実行され得る可能性も含む。したがって、処理及び／又は意思決定が"クラウド内で"行われる場合、関連する処理デバイスはこれらの目的のために無線アクセスノードの一部であると見なされる。
【００２３】
図１は、本開示の実施形態の原理を説明するために利用され得るネットワーク１０を示す。ネットワーク１０は、バックホールネットワーク２０を介してコアネットワーク１８に接続される第１及び第２無線アクセスノード１２、１４を備える。
【００２４】
無線アクセスノード１２、１４は、使用されている無線アクセス技術と用語に応じて、例えば、基地局、ノードＢ、進化型ノードＢ（ｅＮＢ、又はｅノードＢ）、ｇノードＢ、基地トランシーバ局、アクセスポイント基地局、基地局ルータ、無線基地局（ＲＢＳ）、マクロ基地局、マイクロ基地局、ピコ基地局、フェムト基地局、ホームｅノードＢ、リレー及び／又はリピータ、ビーコンデバイス、又は、無線インタフェースを介して無線デバイスと通信する様に構成された他の任意のネットワークノードとして参照され得る。
【００２５】
無線端末１６（無線デバイス、又はＵＥとしても参照される）は、無線アクセスノード１２と無線通信する。例えば、無線端末１６は、無線アクセスノード１２がサービスを提供するセルにキャンプオンし得る。無線端末１６によって無線アクセスノード１２に送信されるメッセージは"アップリンク"で送信されると言われ、無線アクセスノード１２によって無線端末１６に送信されるメッセージは"ダウンリンク"で送信されると言われる。
【００２６】
図１に明示的には示されていないが、無線端末１６はまた、第２無線アクセスノード１４と無線で通信することもできる。例えば、無線端末１６はデュアルコネクティビティで構成されてもよく、それによって、１つ以上の無線ベアラが端末１６と第１及び第２無線アクセスノード１２、１４の各々との間に確立される、或いは、１つ以上の無線ベアラが第１及び第２無線アクセスノード１２、１４（又は両方の組み合わせ）との間で分割される。
【００２７】
図１にはまた、第２無線端末２２が示されている。第２無線端末２２は、無線アクセスノード（無線アクセスノード１２、１４の一方又は両方、あるいは図示されていない別の無線アクセスノード）と通信することができる。しかしながら、現在の目的のために、第２無線端末２２は第１無線端末１６と直接通信していることが分かる。この様に、第１無線端末１６はまた、第２無線端末２２との直接機器間（Ｄ２Ｄ）通信リンクを確立することが可能であり得る。そのようなリンクを介して送信されるメッセージは、"サイドリンク"メッセージと呼ばれ得る。
【００２８】
一般論として、アップリンク通信は以下の様に行われる。データは、無線アクセスネットワークから（すなわち、サービング無線アクセスノードから）無線リソースの許可を使用してアップリンクで送信される。送信されるバッファ内のアップリンクデータの存在を判定すると、無線端末は、無線端末に以前に許可されたアップリンク無線リソースを使用して、バッファ状態報告を無線アクセスノードに送信する。バッファ状態報告は、送信されるアップリンクデータ量の表示を含む。バッファ状態報告を送信するためのアップリンク無線リソースが端末に許可されていない場合、端末は最初にスケジューリング要求を無線アクセスノードに送信し、バッファ状態報告を送信するための無線リソースの許可を要求する。無線アクセスノードは、バッファ状態報告を受信して復号し、アップリンクでデータを送信する無線端末のためのリソース（例えば、周波数、タイムスロット及び／又は直交符号）をスケジュールする。スケジュールされたリソース（すなわち、ＵＬ許可）は、ダウンリンク制御メッセージで無線端末に示される。無線端末はその後、無線アクセスネットワークへのデータ送信のために許可されたリソースを利用することができる。
【００２９】
上記の様に、サイドリンク通信は、２つ以上の無線端末間の直接的なデバイス間通信である。サイドリンクデータ通信は、サイドリンク送信用に予約されているリソースプールから選択されたリソースを使用して送信される。現在、リソースを選択するための２つのモードがある。送信モード１において、サービング無線アクセスノードは送信無線端末のためのリソースを選択し、そしてダウンリンク制御メッセージを介してそれらのリソースを通信する。送信モード２において、送信無線端末は、例えば、干渉を最小限に抑えることを目的とした規則に従ってリソースを自己選択する。したがって、送信モード１において、無線アクセスノードは、送信側無線端末が受信側無線端末にデータを送信するためのリソースをスケジューリングすることができる。
【００３０】
無線リソースは、周波数、タイムスロット、及び、直交符号のうちの１つ以上を利用して定義されることも当業者には理解されるであろう。無線端末が通信を送受信する様にスケジュールされている時間（すなわち、送信が行われる時間）は、送信時間間隔（ＴＴＩ）として知られている。ＬＴＥの現在のバージョンにおいて、ＴＴＩは１ｍｓ（すなわち１サブフレーム）であり、１４個のＯＦＤＭシンボルに対応するが、ＬＴＥ規格の開発は、２及び７個のＯＦＤＭシンボルの新しいより短いＴＴＩを導入した。したがって、本開示の実施形態による無線通信ネットワークは、（アップリンク、ダウンリンク又はサイドリンクにかかわらず）複数の異なるＴＴＩを利用して送信を設定する様に動作可能であるが、本開示は、ＬＴＥや、２、７、及び１４個のＯＦＤＭシンボルの特定の値に限定されない。むしろ、複数の異なるＴＴＩ値が考えられる。
【００３１】
（アップリンクであろうとサイドリンクであろうと）無線端末によって送信されるデータは、１つ以上の論理チャネルに従って配置され得ることがさらに理解される。すなわち、送信される各データパケットは特定の論理チャネルに属し得る。論理チャネルは、一般に、第１論理チャネルが第２論理チャネルとは異なるサービス品質を要求する可能性がある様に、それぞれのサービス品質と関連付けられ得る。異なるサービス品質は、各論理チャネルに関連付けられた各論理チャネル優先度（ＬＣＰ）値の手段によって実施され得る。比較的高い第１ＬＣＰ値に関連付けられた論理チャネルのデータは、比較的低い第２ＬＣＰ値に関連付けられた論理チャネルのデータの前に送信のためにスケジュールされ得る。すなわち、データパケットは、（アップリンクであろうとサイドリンクであろうと）利用可能な許可されたリソースを使用して、無線端末における送信のために割り当てられても良く、第１ＬＣＰ値を有する論理チャネル用のデータパケットは、第２ＬＣＰ値を有する論理チャネル用のデータパケットの前に利用可能なリソースに割り当てられる。それにもかかわらず、許可されたリソースが十分であれば、両方の論理チャネルに対するデータパケットは同じ無線リソースを使用して送信され得る。
【００３２】
本開示の実施形態によると、論理チャネルはさらに最大ＴＴＩ値と関連付けられ得る。すなわち、各論理チャネルのデータが、論理チャネルに関連付けられた最大ＴＴＩ値以下のＴＴＩ値に従って定義された無線リソースを使用して送信される様に、各論理チャネルは、それぞれの最大ＴＴＩ値と関連付けられ得る。言い換えれば、特定の論理チャネルのデータは、その特定の論理チャネルに関連付けられた最大ＴＴＩよりも大きいＴＴＩを参照することによって定義されたリソースを使用して送信されない。
【００３３】
この様に、特に低遅延要求を有する論理チャネルは、比較的低い最大ＴＴＩ値と関連付けられ得るが、より緩和された遅延要求を有する論理チャネルは、比較的高い最大ＴＴＩ値と関連付けられ得る。
【００３４】
各論理チャネルに関連付けられる最大ＴＴＩ値、並びに、ＬＣＰ値及び他のパラメータは、無線アクセスネットワークと無線端末との間の、例えば、無線リソース制御（ＲＲＣ）シグナリングといった、シグナリングを介して設定され得る。パラメータの設定は静的又は半静的であり得る。例えば、特定の論理チャネルに対するパラメータは、さらなる通知があるまで、或いは、無線アクセスネットワークからの更新要求があるまで持続し得る。パラメータは、定期的に又は随時に更新され得る。
【００３５】
図２は、アップリンクを介した送信の例についての、本開示の実施形態による処理フローを示す。しかしながら、このプロセスはサイドリンク送信にも同様に適用可能である。
【００３６】
図２の上部は、特定の無線端末に許可されているアップリンク無線リソースを示している。この図は、時間領域、すなわち図の水平方向における無線リソースの付与のみを示していることに留意されたい。これらの許可されたタイムスロット内で使用されるべき周波数又はコードは図示されていない（そしてそれらは一貫していてもよいし、タイムスロットごとに変化してもよい）。図の下部は、無線端末のＵＬバッファ内のデータ、すなわちアップリンクで送信されるべき、端末のバッファ内のデータを示している。
【００３７】
無線端末に許可された無線リソースの第１期間５０は、比較的長いＴＴＩ、例えば１４個のＯＦＤＭシンボルを有することが分かる。しかしながら、期間５０内では、全期間よりも短いＴＴＩを有する１つ以上の送信機会が定義される。これらの送信機会は、無線端末がより短いＴＴＩを使用して無線アクセスノードに制御情報を送信するための制御送信機会に対応する。例えば、機会はショートＰＵＣＣＨ機会に対応し得る。
【００３８】
図示する実施形態において、ロングＴＴＩ５０内に６つのショート送信機会が示されているが、一般に、ロングＴＴＩ５０においては、任意の数のショート送信機会が提供され得る。
【００３９】
時間期間５０の終わり、及び、次の期間５２の始めに、無線端末はそのＵＬデータバッファ内のデータの存在を判定する。データは、それぞれの論理チャネル優先度値に関連付けられた、第１論理チャネルＬＣ１及び第２論理チャネルＬＣ２のためのデータを含む。この例において、論理チャネルＬＣ２は論理チャネルＬＣ１よりも高い優先度値に関連付けられている。
【００４０】
論理チャネルはさらにそれぞれの最大ＴＴＩ値と関連付けられる。図示する例において、第１論理チャネルは、第１最大ＴＴＩ値、例えば、１４以上のＯＦＤＭシンボルに関連付けられるが、第２論理チャネルは、より短い最大ＴＴＩ値、例えば、２ＯＦＤＭシンボルに関連付けられている。この様にして、第２論理チャネルに関連付けられたデータは、第１論理チャネルに関連付けられたデータよりも低い遅延を要求すると識別され得る。
【００４１】
この時点において、無線端末は、比較的長いＴＴＩ、例えば、１４ＯＦＤＭシンボルに関連付けられた無線リソースのみを許可されている。本開示の実施形態によると、第２論理チャネルの最大ＴＴＩが、利用可能な許可されたリソースに関連付けられたＴＴＩより短いと判定すると（又はリソースが許可されていないと判定すると）、無線端末は、第２論理チャネルに関連付けられた最大ＴＴＩ値以下のＴＴＩに関連付けられたリソースの許可を要求する制御メッセージを送信する。例えば、制御メッセージは、アップリンク制御チャネルを介して送信されるスケジューリング要求メッセージを含み得る。制御メッセージは、より長いＴＴＩ内に定義された１つ以上のショート送信機会を使用して送信され、したがって、一例において、制御メッセージは、スケジューリング要求としてｓＰＵＣＣＨを介して送信される。
【００４２】
図示する実施形態において、制御メッセージは、検出時に最初に利用可能なショート送信機会を使用して送信され、そのような実施形態は、第２論理チャネルの遅延を短く保つのに役立つ。しかしながら、他の実施形態において、バッファ内のデータを検出した直後に制御メッセージを送信することは可能ではないかもしれず、したがって次の送信機会までの短い遅延の可能性がある。
【００４３】
第１論理チャネルは、無線端末に既に許可されているリソースに関連付けられているＴＴＩ以上の最大ＴＴＩ値に関連付けられている。したがって、第１論理チャネルのデータは、利用可能な許可されたリソースを使用して送信することができる。データは、期間５２の間に符号化され（１つのＴＴＩを要すると仮定）、次に利用可能な許可期間５４において送信される。受信デバイスによって受信されると（それがアップリンクの無線アクセスノードであるか、サイドリンクの別の無線端末であるかにかかわらず）、データが復号され、これは、より長いＴＴＩを使用して送信されるデータ量が多いため比較的長い時間を要する。
【００４４】
期間５２に送信された制御メッセージを受信すると、無線アクセスノードはそのメッセージを復号し、第２論理チャネルに関連付けられた最大ＴＴＩ値以下のＴＴＩ値で設定された無線リソースの新たな許可を無線端末に提供する。これらのリソースは、図２において期間５６及び後続する期間として示されている。
【００４５】
この様に、第２論理チャネルに関連付けられたデータは符号化され、そして期間５６において、より短いＴＴＩを使用して受信デバイスに送信される。より長いＴＴＩ期間５０、５２、５４よりも短いＴＴＩ期間５６において、比較的少ないデータが送信されるので、受信デバイスは、送信を復号するのにそれほど時間を要しない。この様に、たとえ第２論理チャネルに対するデータが第１論理チャネルに対するデータの後に送信されても、受信デバイスにおいて受信され、早期に利用可能になる。
【００４６】
図３は、本開示の実施形態による方法のフローチャートである。この方法は、例えば図１に示す無線端末１６のような無線端末で実行され得る。
【００４７】
オプションのステップ１００において、無線端末は、無線アクセスノードから、１つ以上の無線メッセージを送信するための第１無線リソースの第１許可を受信する。たとえば、無線アクセスノードは、ノードＢ、ｅノードＢ、又は、それらと同様のもの等のサービング無線アクセスノードであり得る。第１許可を含むメッセージは、無線端末に許可される無線リソースの表示を含むダウンリンク制御チャネル（例えば、ＰＤＣＣＨ又はｓＰＤＣＣＨ）上で送信される制御メッセージであり得る。例えば、制御メッセージは、無線端末に許可されたリソースの表示を伝達するために、特定のフォーマット、例えば、ＤＣＩフォーマット０で構成されたダウンリンク制御情報（ＤＣＩ）を含み得る。
【００４８】
制御メッセージは、アップリンク（すなわち、無線端末から無線アクセスノードへ）又はサイドリンク（すなわち、無線端末から、直接、別の無線端末へ）における無線メッセージの送信のためのリソースを許可し得る。
【００４９】
第１無線リソースは、１つ以上の周波数（たとえば、１つ以上の周波数サブチャネル）、１つ以上のタイムスロット、送信を符号化するために使用される１つ以上の直交符号、又は、それらの任意の組合せを含み得る。例えば、無線リソースは、特定のタイムスロット及び周波数に対応する物理リソースブロックを使用して定義され得る。リソース、特にタイムスロットは、特定のＴＴＩ値と関連付けられ得る。ＴＴＩ値は、許可を含む制御メッセージ内において明示的に示されてもよく、又は、例えば無線端末の現在の動作モードや、許可を含む制御メッセージのフォーマット（ここでは、異なるフォーマットが異なるＴＴＩ値に対応。）に基づいて暗黙的に無線端末に知られてもよい。
【００５０】
ステップ１０２において、無線端末は、送信に利用可能な（すなわちアップリンク又はサイドリンクにおいて）データを有すると判定する。例えば、無線端末は、符号化され送信される前にデータが一時的に格納される１つ以上のバッファを備え得る。そのようなデータは、何らかのユーザアクション（例えば、電話をかけること、又は、データサービスにアクセスすること）、又は、無線端末内の自動化プロセスの結果として生じる可能性があり得る。
【００５１】
データは１つ以上の論理チャネルと関連付けられ、ステップ１０４において、無線端末は、論理チャネルと関連付けられた最大ＴＴＩ値を判定する。論理チャネル及びそれらに関連付けられたパラメータ（たとえば、最大ＴＴＩ値、論理チャネル優先度など）は、無線アクセスネットワークと無線端末との間のシグナリング、たとえば、無線リソース制御（ＲＲＣ）シグナリングを使用し、設定され得る。パラメータの設定は静的又は半静的であり得る。例えば、特定の論理チャネルに対するパラメータは、さらなる通知があるまで、或いは、無線アクセスネットワークからの更新要求があるまで持続し得る。パラメータは、定期的に又は随時に更新され得る。この様に、ステップ１０４は、無線アクセスネットワークから論理チャネルの設定データを受信することを含み得るが、そのような設定データは以前に受信され、無線端末内にローカルに格納されていることが予想される。
【００５２】
ステップ１０６において、無線端末は、任意の許可された無線リソースが利用可能であるかどうか（すなわち、任意の無線リソースが無線端末に許可されたかどうか、及び／又は、そのような無線リソースが、依然、利用可能で他のデータの送信に割り当てられないかどうか）を判定する。
【００５３】
利用可能なリソースがない場合、方法はステップ１０８に進み、そこで無線端末は、データを送信するための無線リソースの許可を要求する制御メッセージ（例えば、スケジューリング要求）を無線アクセスノードに送信する。この様に、制御メッセージは、ステップ１０４で判定された最大ＴＴＩ値以下のＴＴＩに関連付けられた無線リソースの許可を要求し得る。例えば、制御メッセージは、最大ＴＴＩ値の明示的又は暗示的表示を含むことができる（後者の場合、最大ＴＴＩ値は、例えば制御メッセージのフォーマットによって暗黙的に示されることがあり、又は、無線アクセスノードは、制御メッセージ内に含まれる１つ以上の他のパラメータを参照することによって最大ＴＴＩ値を決定することができる）。
【００５４】
例えば、制御メッセージは、アップリンク制御チャネルを介して送信され得る。制御メッセージは、無線端末に事前設定された１つ以上のショート送信機会を使用して（たとえば無線アクセスネットワークとのシグナリングを介して）送信され、アップリンク制御チャネルとして識別され得る。一例において、制御メッセージは、ｓＰＵＣＣＨを介してスケジューリング要求として送信される。
【００５５】
ステップ１０６において、無線端末にリソースが許可されて利用可能であると判定された場合、方法はステップ１１０に進み、無線端末は、ステップ１０４において判定された最大ＴＴＩ値が、許可されたリソースに関連付けられたＴＴＩ値より小さいかどうかを判定する。最大ＴＴＩ値が許可されたＴＴＩより小さくない（すなわち、許可されたリソースに関連付けられたＴＴＩ以上である）場合、許可されたリソースは、データ送信に使用され得る。この様に、ステップ１１２において、データは符号化され、次いで許可されたリソース（たとえばステップ１００で許可されたリソース）を使用して送信される。
【００５６】
ステップ１０８は、データ用の論理チャネルに関連付けられた論理チャネル優先度値に従ってデータを利用可能なリソースに割り当てることを含み得る。すなわち、比較的高い優先度を有する（すなわち比較的高い論理チャネル優先度値を有する）論理チャネルに関連付けられたデータは、比較的低い優先度を有する（すなわち比較的低い論理チャネル優先順位値を有する）論理チャネルに関連付けられたデータより前に、利用可能なリソースに割り当てられ得る。
【００５７】
最大ＴＴＩ値が許可されたリソースに関連付けられたＴＴＩ未満であるとステップ１１０で判定された場合、方法はステップ１１４に進み、無線端末は、データを送信するための無線リソースの許可を要求する制御メッセージ（例えば、スケジューリング要求）を無線アクセスノードに送信する。このステップは、例えば、ステップ１０８と本質的に同じであり得る。この様に、制御メッセージは、ステップ１０４で判定された最大ＴＴＩ値以下のＴＴＩに関連付けられた無線リソースの許可を要求し得る。例えば、制御メッセージは、最大ＴＴＩ値の明示的又は暗示的表示を含むことができる（後者の場合、最大ＴＴＩ値は、例えば制御メッセージのフォーマットによって暗黙的に示されることがあり、又は、無線アクセスノードは、制御メッセージ内に含まれる１つ以上の他のパラメータを参照することによって最大ＴＴＩ値を決定することができる）。
【００５８】
例えば、制御メッセージは、アップリンク制御チャネルを介して送信され得る。制御メッセージは、１つ以上のショート送信機会を使用して送信することができ、この様に、一例において、制御メッセージは、スケジューリング要求としてｓＰＵＣＣＨを介して送信される。
【００５９】
ステップ１１８において、無線端末は、無線アクセスノードから、ステップ１０２で特定されたデータを送信するための第２無線リソースの第２許可を受信する。第２許可を含むメッセージは、無線端末に許可された無線リソースの表示を含むダウンリンク制御チャネル（例えば、ＰＤＣＣＨ又はｓＰＤＣＣＨ）上で送信される制御メッセージであり得る。例えば、制御メッセージは、無線端末に許可されたリソースの表示を伝達するために、特定のフォーマット、例えば、ＤＣＩフォーマット０で構成されたダウンリンク制御情報（ＤＣＩ）を含むことができる。
【００６０】
制御メッセージは、アップリンク（すなわち、無線端末から無線アクセスノードへ）又はサイドリンク（すなわち、無線端末から、直接、別の無線端末へ）における無線メッセージの送信のためのリソースを許可し得る。
【００６１】
第２無線リソースは、１つ以上の周波数（たとえば、１つ以上の周波数サブチャネル）、１つ以上のタイムスロット、送信を符号化するために使用される１つ以上の直交符号、又は、それらの任意の組合せを含み得る。例えば、無線リソースは、特定のタイムスロット及び周波数に対応する物理リソースブロックを使用して定義され得る。リソース、特にタイムスロットは、特定のＴＴＩ値と関連付けられ得る。ＴＴＩ値は、許可を含む制御メッセージ内において明示的に示されてもよく、又は、例えば無線端末の現在の動作モードや、許可を含む制御メッセージのフォーマット（ここでは、異なるフォーマットが異なるＴＴＩ値に対応。）に基づいて暗黙的に無線端末に知られてもよい。
【００６２】
ステップ１１４で送信されたスケジューリング要求に従って、第２リソースは、ステップ１０２でデータに関連付けられた論理チャネルの最大ＴＴＩ値以下のＴＴＩ値に関して設定される。
【００６３】
ステップ１２０において、無線端末はデータを符号化し、そしてステップ１１８において受信されたメッセージで特定された第２リソースを使用して、データを送信する。
【００６４】
上記の様に、送信に利用可能なデータの検出に対する従来の応答は、送信に利用可能なデータ量を示すバッファ状態報告（ＢＳＲ）を送信することである。ＢＳＲは、メディアアクセス制御（ＭＡＣ）層の制御要素として送信されてもよく、定期的（すなわち、送信に利用可能な現在のデータ量を示す）に、又は、非定期的（すなわちデータが送信に利用可能なとき、或いは、送信するデータがないとき）に送信されてもよい。
【００６５】
本開示の実施形態によると、ステップ１１４におけるスケジューリング要求の送信は、これらの従来のステップと置換、或いは、それらに追加することができる。したがって、一実施形態において、ステップ１１４の後、本方法はステップ１１６ａに進み、ステップ１０２で特定されたデータに関してＢＳＲは送信されない。例えば、無線端末は、送信に利用可能なデータに関連付けられた最大ＴＴＩ値が、任意の許可された無線リソースに関連付けられたＴＴＩより短く、より短いＴＴＩで設定されたさらなるリソースのスケジューリング要求が送信されている場合、ＢＳＲの送信を防ぐ様に事前設定され得る。そのような実施形態において、ネットワークは無線リソースに対する単一の要求を受信し、それに応答する。
【００６６】
代わりの実施形態においては、ステップ１１４の後、本方法はステップ１１６ｂに進み、ステップ１０２で特定されたデータに関してＢＳＲが送信される。この場合、無線アクセスノードは、ステップ１０２で特定されたデータの送信のための無線リソースをスケジュールするために、（異なるメカニズムを介して）２つの要求を効果的に受信する。ステップ１１４で送信されたスケジューリング要求は（特にショート送信機会を使用して送信された場合）、第２リソースを許可することによって最初に受信され、実行され得る。しかしながら、無線アクセスノードは、ステップ１１６ｂで送信されたＢＳＲに応答するとき、第２リソースの許可を考慮することができる。ＢＳＲが比較的少量のデータを示す場合、例えば、ステップ１１８で許可されたリソースを使用して完全に送信することができる場合、無線アクセスノードは、ステップ１１６ｂで送信されたＢＳＲを無視し得る。ＢＳＲが、ステップ１１８で許可されたリソースを使用して送信され得るよりも多くの量のデータを示す場合、無線アクセスノードは、残りのデータを送信するために、無線端末にさらなるリソースを許可し得る。
【００６７】
当業者には明らかな様に、上記の説明は単一の論理チャネルに属するデータの処理フローに焦点を当てているが、図３に示される方法は、送信に利用可能な総てのデータに連続的に適用され得る。例えば、複数の異なる論理チャネルに関連付けられたデータは、同時に、或いは、略同時に送信に利用可能になり得る。その場合、本方法の別々の例が各論理チャネルに関して並行して実行され得る。この様に、スケジューリング要求メッセージは、比較的長い最大ＴＴＩ値に関連付けられた論理チャネルのデータ送信と同時に（例えばステップ１１２に示す様に）、比較的短い最大ＴＴＩ値に関連付けられた論理チャネルのデータに関して送信され得る（例えば、ステップ１１４に示す様に）。
【００６８】
上記の説明から明らかな様に、本開示の実施形態は緊急無線通信の遅延を短縮するための方法を提供する。これは以下の実施例からさらに明らかになる。
【００６９】
例１
例１は、データが送信に利用可能であるという判定に続いて無線端末がバッファ状態報告を送信し、続いてショートＴＴＩを有するリソースが許可される従来の振る舞いの第１例に対応する。ここでは、"ロング"ＴＴＩが１４個のＯＦＤＭシンボルを有し、１ＴＴＩ符号化時間と２ＴＴＩ復号時間に関連付けられる一方、"ショート"は２個のＯＦＤＭシンボルを有し、２つのＴＴＩ符号化時間と３つのＴＴＩ復号時間に関連付けられていると仮定している。
【００７０】
−無線端末は送信するデータの存在を判定し、次のロングＴＴＩを待つ（１〜１４ｏｓ）
−無線端末はＢＳＲを符号化する（ゼロ遅延を仮定）
−無線端末は物理アップリンク共有チャネル（ＰＵＳＣＨ）でＢＳＲを送信する（１４ｏｓ）
−無線アクセスノードがＢＳＲを復号する（２×１４ｏｓ）
−無線アクセスノードはショートＵＬ許可を符号化する（２×２ｏｓ）
−無線アクセスノードはｓＰＤＣＣＨでショートＵＬ許可を送信する（２ｏｓ）
−無線端末はＵＬ許可を復号し、送信用にデータを符号化する（５×２ｏｓ）
−無線端末がＵＬデータを送信する（２ｏｓ）
−無線アクセスノードがＵＬデータを復号する（３×２ｏｓ）
【００７１】
これにより、全体的に６７〜８０ＯＦＤＭシンボルの遅延が生じる。
【００７２】
例２
例２は、無線端末が以前に許可された"ロング"ＴＴＩに従って設定されたリソースを使用してデータを送信する、従来の振る舞いの第２例に対応する。
【００７３】
−無線端末は送信するデータの存在を判定し、次のロングＴＴＩを待つ（１〜１４ｏｓ）
−無線端末がＵＬデータを符号化する（１×１４ｏｓ）
−無線端末がＵＬデータを送信する（１×１４ｏｓ）
−無線アクセスノードがＵＬデータを復号する（２×１４ｏｓ）
【００７４】
これにより、全体的に５７〜７０ＯＦＤＭシンボルの遅延が生じる。
【００７５】
例３
例３は、利用可能な許可されたリソースがない場合、又は、利用可能な許可されたリソースが送信されるデータの最大ＴＴＩ値よりも大きいＴＴＩ値で設定されている場合の図３に関して上述した振る舞いに対応する。
【００７６】
−無線端末は送信するデータの存在を判定し、次のショートＴＴＩを待つ（１〜４ｏｓ）
−無線端末はスケジューリング要求を符号化する（ゼロ遅延を仮定）
−無線端末がスケジューリング要求をｓＰＵＣＣＨで送信する（２ｏｓ）
−無線アクセスノードがＢＳＲを復号する（３×２ｏｓ）
−無線アクセスノードはショートＵＬ許可を符号化する（２×２ｏｓ）
−無線アクセスノードはｓＰＤＣＣＨでショートＵＬ許可を送信する（２ｏｓ）
−無線端末はＵＬ許可を復号し、送信用にデータを符号化する（５×２ｏｓ）
−無線端末がＵＬデータを送信する（２ｏｓ）
−無線アクセスノードがＵＬデータを復号する（３×２ｏｓ）
【００７７】
これにより、全体的に３３〜３６ＯＦＤＭシンボルの遅延が生じる。
【００７８】
図４は、本開示の実施形態による無線端末２００のブロック図である。無線端末２００は、例えば、特に図３に関して上述した方法を実行するのに適し得る。
【００７９】
端末２００は、処理回路２０２と、処理回路２０２と通信可能に結合された（メモリなどの）非一時的コンピュータ可読媒体２０４とを備える。無線端末２００は、無線通信ネットワーク内で動作可能であり、複数の送信時間間隔を設定可能であり得る。
【００８０】
一実施形態において、媒体２０４は、処理回路２０２により実行されると、端末２００に、端末デバイスが１つ以上の無線メッセージを送信できる、複数の送信時間間隔の第１送信時間間隔に従い設定された第１無線リソースの表示を含む第１許可メッセージを無線通信ネットワークから受信させ、第１論理チャネルに関連付けられた、送信するデータの存在を判定させ、第１論理チャネルに関連付けられた最大送信時間間隔を判定させ、論理チャネルに関連付けられた最大送信時間間隔が第１送信時間間隔より短いとの判定に応答して、複数の送信時間間隔の内の第２送信時間間隔に従い設定されたスケジューリング要求メッセージを無線通信ネットワークに送信させる命令を格納し、第２送信時間間隔は、第１送信時間間隔よりも短い。
【００８１】
さらなる実施形態において、端末２００は、例えば、１つ以上のアンテナと、処理回路２０２及び／又はメモリ２０４に結合された対応するトランシーバ回路といった、無線信号を送信するためのハードウェア（図示せず）を含み得る。
【００８２】
図５は、本開示の実施形態による無線端末３００のブロック図である。無線端末３００は、例えば、特に図３に関して上述した方法を実行するのに適し得る。
【００８３】
端末３００は、第１モジュール３０２、第２モジュール３０４、第３モジュール３０６、及び、第４モジュール３０８を備える。無線端末３００は、無線通信ネットワーク内で動作可能であり、複数の送信時間間隔を設定可能であり得る。
【００８４】
一実施形態において、第１モジュール３０２は、端末デバイスが１つ以上の無線メッセージを送信できる、複数の送信時間間隔の第１送信時間間隔に従い設定された第１無線リソースの表示を含む第１許可メッセージを無線通信ネットワークから受信する様に構成される。第２モジュール３０４は、第１論理チャネルに関連付けられた、送信するデータの存在を判定する様に構成される。第３モジュール３０６は、第１論理チャネルに関連付けられた最大送信時間間隔を判定する様に構成される。第４モジュール３０８は、論理チャネルに関連付けられた最大送信時間間隔が第１送信時間間隔より短いとの判定に応答して、複数の送信時間間隔の内の第２送信時間間隔に従い設定されたスケジューリング要求メッセージを前記無線通信ネットワークに送信する様に構成され、第２送信時間間隔は、第１送信時間間隔よりも短い。
【００８５】
上記の文章は、３ＧＰＰ仕様、特にロングタームエボリューション及びその発展に関連して本開示の実施形態を説明してきたが、当業者は、本明細書に記載の方法、装置及び概念が他の無線アクセス技術と、それを利用するネットワークにも同様に適用できることを認識するであろう。
【図１】
0006775690.tif 000002
【図２】
0006775690.tif 000003
【図３】
0006775690.tif 000004
【図４】
0006775690.tif 000005
【図５】
0006775690.tif 000006